(57)【要約】【課題】  室内や夜間等の暗い場所でも主要被写体及び背景の明るさ等をバランスよく撮影できるレンズ付きフイルムユニットを提供する。【解決手段】暗い場所での撮影に対応した第2撮影モードを選択すると、絞り値がＦ４．０，シャッタ速度が１／４５秒に設定される。写真フイルム２２ｂは、フイルム感度ＩＳＯ３２００のものが装填されており、ＩＳＯ１００を基準とした適正ＥＶ値が「８」未満となるようにされており、ストロボ光を用いずに撮影できるようにされている。【選択図】        図３
2006038949.tif 000002
【特許請求の範囲】
【請求項１】
未露光の写真フイルムが予め装填され、フラッシュ装置を内蔵しないレンズ付きフイルムユニットにおいて、
前記写真フイルムのフイルム感度がＩＳＯ１６００以上であるとともに、ＩＳＯ１００を基準とした適正ＥＶ値が「８」未満に設定される撮影モードを有することを特徴とするレンズ付きフイルムユニット。
【請求項２】
前記写真フイルムのフイルム感度がＩＳＯ３２００以上であることを特徴とする請求項１記載のレンズ付きフイルムユニット。
【請求項３】
前記撮影モードにおける絞り値をＦ0としたときに,
Ｆ２．８≦Ｆ0≦Ｆ８
を満たすことを特徴とする請求項１または２記載のレンズ付きフイルムユニット。
【請求項４】
撮影レンズの焦点距離をＬとしたときに、
Ｌ≦２８ｍｍ
を満たすことを特徴とする請求項３記載のレンズ付きフイルムユニット。
【請求項５】
前記撮影レンズの焦点距離をＬとしたときに、
１７ｍｍ≦Ｌ≦２８ｍｍ
を満たすことを特徴とする請求項３記載のレンズ付きフイルムユニット。
【請求項６】
未露光の写真フイルムが予め装填され、フラッシュ装置を内蔵しないレンズ付きフイルムユニットにおいて、
絞りを小絞りと大絞りとの間で切り替える絞り切替手段と、絞り切替手段を小絞りとした第１撮影モードと、絞り切替手段を大絞りとして、ＩＳＯ１００を基準とした適正ＥＶ値が「８」未満とした第２撮影モードとを選択するための撮影モード選択手段とを備え、前記写真フイルムのフイルム感度がＩＳＯ１６００以上であることを特徴とするレンズ付きフイルムユニット。
【請求項７】
前記写真フイルムのフイルム感度がＩＳＯ３２００以上であることを特徴とする請求項６記載のレンズ付きフイルムユニット。
【請求項８】
前記絞り切替手段は、小絞りの絞り値をＦ1、大絞りの絞り値をＦ2としたときに、
Ｆ１３≦Ｆ1
Ｆ２．８≦Ｆ2≦Ｆ８
を満たすことを特徴とする請求項６または７記載のレンズ付きフイルムユニット。
【請求項９】
前記第１撮影モードではシャッタ速度を高速とし、前記第２撮影モードではシャッタ速度を低速とするシャッタ速度切替手段を備えたことを特徴とする請求項６ないし８のいずれか１項に記載のレンズ付きフイルムユニット。
【請求項１０】
前記シャッタ速度切替手段は、高速のシャッタ速度をＴ1、低速のシャッタ速度をＴ2としたときに、
１／８０秒≧Ｔ1
１／３０秒≧Ｔ2≧１／６０秒
を満たすことを特徴とする請求項９記載のレンズ付きフイルムユニット。
【請求項１１】
未露光の写真フイルムが予め装填され、フラッシュ装置を内蔵しないレンズ付きフイルムユニットにおいて、
絞り値がＦ１３以上の小絞りと、Ｆ８以下の大絞りとの間で切り替える絞り切替手段と、シャッタ速度を１／８０秒以下の高速シャッタ速度と、１／６０秒以上の低速シャッタ速度とで切り替えるシャッタ速度切替手段と、絞り切替手段を小絞りに、シャッタ速度切替手段を高速シャッタ速度とした第１撮影モード，絞り切替手段を大絞りに、シャッタ速度切替手段を低速シャッタ速度とした第２撮影モードを選択するための撮影モード選択手段とを備え、前記写真フイルムのフイルム感度がＩＳＯ３２００以上であることを特徴とするレンズ付きフイルムユニット。
【発明の詳細な説明】
【技術分野】
【０００１】
本発明は、レンズ付きフイルムユニットに関するものである。
【背景技術】
【０００２】
写真フイルムが予め装填されたレンズ付きフイルムユニットが各種販売されている。このようなレンズ付きフイルムユニットとしては、フラッシュ装置、例えばストロボ装置を搭載し、暗い室内等でも撮影を行うことができるようにしたストロボ内蔵型もある。また、撮影条件に応じた撮影モードを選択することにより、日中屋外等の明るい場所から暗い場所までの撮影に対応したモード切替型のものもあり、このモード切替型では高感度の写真フイルムを用いることにより、室内や夜間の暗い場所での撮影において、背景の描写性を向上させたものが知られている。
【０００３】
ストロボ内蔵型のレンズ付きフイルムユニットは、例えば１／１４０秒のシャッタ速度とＦ１０の絞りに、ＩＳＯ８００の写真フイルムが組み合せられ、ＩＳＯ１００を基準としたＥＶ値でＥＶ１０．８が適正露出となるようにされている。室内や夜間の暗い場所での撮影には、ストロボ発光させることにより、比較的に近距離の主要被写体の露出が適正とすることができる。
【０００４】
しかし、上記のようなストロボ内蔵型のレンズ付きフイルムユニットでは、主要被写体をストロボ光でほぼ適正な露出で撮影することができるものの、ストロボ光が有効でない背景については露光不足となってしまい、結果として背景は極端な露光不足となってしまっていた。
【０００５】
高感度の写真フイルムが装填されたモード切替型のレンズ付きフイルムユニットとして、本出願人により製造販売されているレンズ付きフイルムユニット「Ｎｉｇｈｔ＆Ｄａｙ（商品名）」が知られている。このレンズ付きフイルムユニットは、日中屋外等の明るい場所での撮影に対応する日中撮影モード（ストロボ発光せず）と日中シンクロ撮影モード（ストロボ発光あり）と、夜景や暗い室内を背景にし、その背景を適当な濃度で再現しながら人物等の主要被写体をストロボ光で撮影する場合に対応する夜景シンクロ撮影モードの３つの撮影モードを備えている。
【０００６】
上記の日中撮影モード及び日中シンクロ撮影モードでは、高速なシャッタ速度と小絞りに設定され、夜景シンクロ撮影モードでは、低速なシャッタ速度と大絞りに設定される。具体的には、ＩＳＯ１６００の写真フイルムが用いられ、日中撮影モード及び日中シンクロ撮影モードでは、シャッタ速度が１／１２０秒に、絞り値がＦ１４に設定され、夜景シンクロ撮影モードでは、シャッタ速度が１／４５秒に、絞り値がＦ６．２に設定されている。これによれば、ＩＳＯ１００を基準としたＥＶ値での適正露出は、日中撮影モード及び日中シンクロ撮影モードがＥＶ１０．５、夜景シンクロ撮影モードがＥＶ６．８となる。
【発明の開示】
【発明が解決しようとする課題】
【０００７】
ところで、上記の夜景シンクロ撮影モ−ドで撮影を行った場合には、夜景や暗い室内等の背景を適当な濃度で再現しながら、人物等の主要被写体についてはストロボ光で十分な明るさを確保することができるが、ストロボ光で照明された主要被写体の陰影がなくなったり、背景の光源色をストロボ光が打ち消してしまったりして、どの写真を見ても同じような印象の写真になってしまうという問題があった。
【０００８】
本発明は上記問題を解消するためになされたもので、室内や夜間などでも主要被写体及び背景をその場の雰囲気を活かして撮影できるレンズ付きフイルムユニットを提供することを目的とする。
【課題を解決するための手段】
【０００９】
請求項１記載のレンズ付きフイルムユニットでは、フラッシュ装置を内蔵せずに、写真フイルムのフイルム感度がＩＳＯ１６００以上であるとともに、ＩＳＯ１００を基準とした適正ＥＶ値が「８」未満に設定される撮影モードを有するものである。
【００１０】
請求項２記載のレンズ付きフイルムユニットでは、写真フイルムのフイルム感度がＩＳＯ３２００以上としたものである。
【００１１】
請求項３記載のレンズ付きフイルムユニットでは、前記撮影モードにおける絞り値をＦ0としたときに,
Ｆ２．８≦Ｆ0≦Ｆ８
を満たすようにしたものである。
【００１２】
請求項４記載のレンズ付きフイルムユニットでは、撮影レンズの焦点距離をＬとしたときに、
Ｌ≦２８ｍｍ
を満たすようにしたものである。
【００１３】
請求項５記載のレンズ付きフイルムユニットでは、撮影レンズの焦点距離をＬとしたときに、
１７ｍｍ≦Ｌ≦２８ｍｍ
を満たすようにしたものである。
【００１４】
請求項６記載のレンズ付きフイルムユニットでは、フラッシュ装置を内蔵せずに、絞りを小絞りと大絞りとの間で切り替える絞り切替手段と、絞り切替手段を小絞りとした第１撮影モードと、絞り切替手段を大絞りとして、ＩＳＯ１００を基準とした適正ＥＶ値が「８」未満とした第２撮影モードとを選択するための撮影モード選択手段とを備え、写真フイルムのフイルム感度がＩＳＯ１６００以上としたものである。
【００１５】
請求項７記載のレンズ付きフイルムユニットでは、写真フイルムのフイルム感度をＩＳＯ３２００以上としたものである。
【００１６】
請求項８記載のレンズ付きフイルムユニットでは、絞り切替手段は、小絞りの絞り値をＦ1、大絞りの絞り値をＦ2としたときに、
Ｆ１３≦Ｆ1
Ｆ２．８≦Ｆ2≦Ｆ８
を満たすようにしたものである。
【００１７】
請求項９記載のレンズ付きフイルムユニットでは、第１撮影モードではシャッタ速度を高速とし、前記第２撮影モードではシャッタ速度を低速とするシャッタ速度切替手段を備えたものである。
【００１８】
請求項１０記載のレンズ付きフイルムユニットでは、シャッタ速度切替手段は、高速のシャッタ速度をＴ1、低速のシャッタ速度をＴ2としたときに、
１／８０秒≧Ｔ1
１／３０秒≧Ｔ2≧１／６０秒
を満たすようにしたものである。
【００１９】
請求項１１記載のレンズ付きフイルムユニットでは、フラッシュ装置を内蔵せずに、絞り値がＦ１３以上の小絞りと、Ｆ８以下の大絞りとの間で切り替える絞り切替手段と、シャッタ速度を１／８０秒以下の高速シャッタ速度と、１／６０秒以上の低速シャッタ速度とで切り替えるシャッタ速度切替手段と、絞り切替手段を小絞りに、シャッタ速度切替手段を高速シャッタ速度とした第１撮影モード，絞り切替手段を大絞りに、シャッタ速度切替手段を低速シャッタ速度とした第２撮影モードを選択するための撮影モード選択手段とを備え、前記写真フイルムのフイルム感度がＩＳＯ３２００以上としたものである。
【発明の効果】
【００２０】
上記本発明によれば、フラッシュ装置を内蔵していないレンズ付きフイルムユニットに、フイルム感度がＩＳＯ１６００以上の写真フイルムを装填し、ＩＳＯ１００を基準とした適正ＥＶ値が「８」未満となる撮影モードを設けたから、室内等の暗い場所で撮影をフラッシュ装置からの光を用いずに行うことができ、アベイラブル光を活かした撮影によって、背景と主要被写体との明るさや色合いに一体感がある良好な写真画像を得ることができる。
【発明を実施するための最良の形態】
【００２１】
本発明を実施したレンズ付きフイルムユニットの外観を図１及び図２に示す。なお、図１は第1撮影モードの状態を、図２は第2撮影モードの状態をそれぞれ示している。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００２２】
このレンズ付きフイルムユニット２には、ストロボ装置が搭載されていない。本発明は、フラッシュ装置を備えていないレンズ付きフイルムユニットであり、フラッシュ装置とは、ストロボ装置の他、被写体に向け補助光を照射する発光ダイオード等の各種光源装置を含む。
【００２３】
ユニット本体３の前面には、撮影レンズ５，ファインダ６，撮影モード選択部８が設けられている。また、ユニット本体３の上面には、レリーズボタン９，カウンタ表示窓１０が設けられ、背面には撮影後のフイルム巻き上げに用いられる巻上げノブ１２の一部が露呈されている。
【００２４】
撮影モード選択部８は、ユニット本体３の前面に形成された操作開口１４と、この操作開口１４内で回動自在とされた略小判形状の操作部材１５とからなる。操作部材１５は、図１に示される第１操作位置と、図２に示されるように、第１操作位置から図中時計方向に回動された第２操作位置との間で回動される。
【００２５】
レンズ付きフイルムユニット２は、操作部材１５が第１操作位置にある際に、小絞り及び高速シャッタの第１撮影モードとなる。また、操作部材１５が第２操作位置にある際には、大絞り及び低速シャッタの第2撮影モードとなる。なお、例えば第２撮影モードのときにファインダ６内に所定の表示をする等して、撮影者がファインダ６を覗いた状態で第１撮影モードと第2撮影モードとのいずれであるかを判別できるようにしてもよい。
【００２６】
ユニット本体３の構成を図３に示す。ユニット本体３は、１３５タイプのフイルムパトローネ２２が装填される本体基部２３と、撮影モードの切り替えを行うモード切替機構２５と、本体基部２３の前面側及び背面側に取り付けられる前カバー２６及び後カバー２７とからなる。
【００２７】
フイルムパトローネ２２は、パトローネ２２ａと、写真フイルム２２ｂとからなり、前述のように製造時に装填される。写真フイルム２２ｂとしては、フイルム感度がＩＳＯ３２００のものが用いられている。
【００２８】
本体基部２３の前面中央には、遮光筒３５が設けられている。この遮光筒３５の周囲には、シャッタチャージ機構，シャッタ機構，フイルム巻上げ機構，フイルム巻止機構，フイルムカウント機構，絞り切替機構，シャッタ速度切替機構，撮影光学系，ファインダ光学系等が組み込まれている。
【００２９】
図４は、遮光筒３５の周囲に組み込まれたシャッタレリーズ機構，絞り切替機構，シャッタ速度切替機構，撮影光学系の構成を示す分解斜視図である。遮光筒３５の前面には、矩形状の露光開口３７が形成されている。遮光筒３５の側方には、シャッタ羽根３８を揺動自在に支持するピン３９と、バネ４０の一端が掛けられるピン４１とが設けられている。
【００３０】
シャッタ機構を構成するシャッタ羽根３８は、ピン３９に挿通される穴４３ａが形成されたベース部４３と、露光開口３７の前方に配置されて該露光開口３７の開閉を行う羽根部４４と、ベース部４３と羽根部４４とを接続する連結部４５とからなる。ベース部４３には、バネ４０の他端が掛けられるピン４３ｂと、シャッタ駆動レバー４７によって蹴飛ばされる突出部４３ｃと、速度調節突起４３ｄとが設けられている。シャッタ羽根３８は、バネ４０に付勢されて露光開口３７を塞ぐ閉じ位置に保持されている。
【００３１】
シャッタ駆動レバー４７は、シャッタ機構を構成する部品の一つであり、シャッタチャージ機構によって図中矢線Ａと逆方向に回動し、チャージ位置にセットされる。そして、レリーズボタン９の押圧操作に応答して、チャージ解除位置に向けて矢線Ａ方向に回動し、その際にシャッタ羽根３８の突出部４３ｃを蹴飛ばす。シャッタ駆動レバー４７に蹴飛ばされたシャッタ羽根３８は、バネ４０の付勢に抗して図中矢線Ｂ方向に回動し、露光開口３７を全開した後に、バネ４０の付勢によって閉じ位置に復帰する。シャッタ羽根３８は、露光開口３７を全開させる全開位置を経て、レンズホルダ５６の内面に設けられたストッパーピン５６ａ（図５，図６参照）に当接する移動端位置に達するまで回動可能にされている。
【００３２】
レンズホルダ５６上部には、ストップレバー４９を回動自在に支持するピン５０が形成されている。ストップレバー４９は、ピン５０に支持されるボス５１と、このボス５１の側面から突出された２本のアーム５２，５３とからなり、一方のアーム５２の先端にパッド５２ａが形成されている。
【００３３】
このストップレバー４９は、パッド５２ａがシャッタ羽根３８の速度調節突起４３ｄの移動軌跡内に入り込んだ高速シャッタ位置と、パッド５２ａがその移動軌跡から退避した低速シャッタ位置との間で回動される。
【００３４】
図５に示すように、ストップレバー４９が高速シャッタ位置にあるときにシャッタレリーズが行われると、シャッタ羽根３８の速度調節突起４３ｄがパッド５２ａに当接するので、シャッタ羽根３８は全開位置から移動端位置への途中で回動が阻止される。これにより、短時間でシャッタ羽根３８が閉じ位置に復帰する。このときのシャッタ速度は１／１００秒とされており、これが第１撮影モードの高速シャッタのシャッタ速度となる。
【００３５】
上記とは逆に、図６に示すように、ストップレバー４９が低速シャッタ位置にあるときには、速度調節突起４３ｄがパッド５２ａに当接しないで回動する。このため、シャッタ羽根３８は、移動端位置まで回動する。その結果、シャッタ羽根３８が閉じ位置に復帰するまでの時間が長くなって、シャッタ速度が遅くなる。このときのシャッタ速度は１／４５秒とされており、これが第２撮影モードの低速シャッタのシャッタ速度となる。
【００３６】
図４に示されるように、遮光筒３５の前方には、レンズホルダ５６が取り付けられる。レンズホルダ５６の前面中央には、筒形状の鏡筒５７が形成されている。鏡筒５７内には、開口５８が形成されており、鏡筒５７の側面には切欠５９が形成されている。鏡筒５７内には、撮影レンズ５を構成する第１レンズ６０と第２レンズ６１とが収納される。これら第１レンズ６０と第２レンズ６１との間には、大絞り板６２，絞り切替板６３の挿入スペースを確保するスペーサー６４が収められる。レンズホルダ５６の前面には、鏡筒５７に収められた撮影レンズ５等の部品と、鏡筒５７の外周に取り付けられた切替リング６８とが外れないように押さえるレンズ押さえ板６５が取り付けられる。
【００３７】
大絞り板６２，絞り切替板６３，スペーサー６４，切替リング６８等により、絞り切替機構が構成される。大絞り板６２は、円形の薄板からなり、中央に大径の絞り開口６２ａが形成されている。絞り開口６２ａは、第２撮影モードの大絞りとなるものであって、絞り値がＦ４．０となるようにその径が決められている。
【００３８】
絞り切替板６３は、く字形状の薄板からなり、一端に大絞り開口６２ａを塞ぐ大きさの小絞り部６３ａが設けられ、この小絞り部６３ａに小径の絞り開口６３ｂが形成されている。絞り開口６３ａは、第１撮影モードの小絞りとなるものであって、絞り値がＦ１８となるようにその径が決められている。絞り切替板６３の他端には、穴６３ｃと屈曲された長穴６３ｄとが形成されている。穴６３ｃは、レンズホルダ５６の鏡筒５７の近傍に形成されたピン６６に挿通され、絞り切替板６３を揺動自在とする。
【００３９】
上記の絞り切替板６３は、小絞り部６３ａを撮影光軸上に配置する小絞り位置と、小絞り部６３ａを切欠５９から鏡筒５７の外に退避させ、大絞り開口６２ａを露呈させる大絞り位置との間で回動される。小絞り位置となると、撮影光は、大径の絞り開口６２ａと、小径の絞り開口６３ｂとを通過するようになり、結果的には径の小さい小絞り開口６３ｂによって光量が制限される。
【００４０】
鏡筒５７の外周には、切替リング６８が回動自在に嵌入される。切替リング６８には、バネ７０の一端が掛けられるバネ掛けピン６８ａと、絞り切替板６３の長穴６３ｄに挿入されるリンクピン６８ｂと、ストップレバー４９のアーム５３を間に挟み込む一対の挟持ピン６８ｃと、背面側に突出した従動ピン６８ｄとが設けられている。
【００４１】
バネ７０の他端は、レンズホルダ５６の前面下部に形成されたピン７１に掛けられ、切替リング６８を図中矢線Ｃ方向に付勢する。なお、バネ７０によって付勢された切替リング６８は、絞り切替板６３によって所定の位置に保持される。
【００４２】
操作部材１５には、略小判形状の切替板７４が一体に形成されており、この切替板７４には水平方向に突出された押圧レバー７４ａが一体に形成されている。操作部材１５が第１操作位置から第２操作位置に回動すると、押圧レバー７４ａが切替リング６８の従動ピン６８ｄを下方から押圧する。これにより、切替リング６８は、バネ７０の付勢に抗して矢線Ｃ方向と逆方向に回動される。
【００４３】
第１撮影モードのときの切替リング６８の状態を図７に、第２影モードのときの切替リング６８の状態を図８にそれぞれ示す。図７に示されるように、操作部材１５が第１操作位置のときには、操作部材１５の押圧レバー７４ａは切替リング６８の従動ピン６８ｄに接触しない。そのため、切替リング６８は、絞り切替板６３によって初期位置に保持されている。
【００４４】
切替リング６８が初期位置にある際には、リンクピン６８ｂによって絞り切替板６３の小絞り部６３ａが鏡筒５７内に挿入される。これにより、小絞り部６３ａが大絞り開口６２ａを塞いで小絞り状態となる。また、一対の挟持ピン６８ｃは、ストップレバー４９を高速シャッタ位置に保持している。
【００４５】
図８に示すように、操作部材１５が第１操作位置から第２操作位置へと回動されると、バネ７０の付勢に抗して押圧レバー７４ａが従動ピン６８ｄを下方から押圧して切替リング６８を図中反時計方向に回動させる。この切替リング６８の回動により、リンクピン６８ｂに押圧された絞り切替板６３が図中時計方向に回動し、小絞り部６３ａが光軸上から退避して大絞り状態となる。また、一対の挟持ピン６８ｃはストップレバー４９を低速シャッタ位置にセットする。
【００４６】
上記のように、このレンズ付きフイルムユニット２は、写真フイルム２２ｂとしてフイルム感度がＩＳＯ３２００のものが用いられ、第１撮影モードではシャッタ速度が１／１００秒，絞り値がＦ１８とされ、第２撮影モードではシャッタ速度が１／４５秒，絞り値がＦ４．０であり、いずれの撮影モードでもストロボ非発光となっている。
【００４７】
第１撮影モードでは、ＩＳＯ１００を基準としたＥＶ値で、適正ＥＶ値がＥＶ１０となっており、カラーネガタイプの写真フイルム２２ｂのラチチュードを考慮して＋５．５ＥＶ（露光オーバ）、−１．５ＥＶ（露光アンダー）の露光量の過不足を許容すると、ＥＶ８．５〜ＥＶ１５．５の範囲で撮影が行うことができる。第２撮影モードでは、ＩＳＯ１００を基準としたＥＶ値で、適正ＥＶ値がＥＶ４．５となっており、ラチチュードを考慮すると、ＥＶ３．０〜ＥＶ１０．０の範囲で撮影が行うことができ、ストロボ発光を用いずに暗い室内や夜間屋外での撮影が可能とされている。なお、ＩＳＯ１００を基準とした適正ＥＶ値は、絞り値をＦ，シャッタ速度をＴ（秒）、フイルム感度をＳとしたときに、「ＥＶ＝log2(Ｆ2／Ｔ)−log2（Ｓ／１００）」で与えられる。
【００４８】
ストロボ発光させずに、暗い室内や夜間屋外での撮影に対応する第２撮影モード場合では、写真フイルム２２ｂのフイルム感度がＩＳＯ１６００以上とし、ＩＳＯ１００を基準としたＥＶ値で適正ＥＶ値がＥＶ８未満となるようにするのが好ましい。また、フイルム感度は、ＩＳＯ３２００以上とするがより好ましい。さらに、第２撮影モードでの、絞り値は、Ｆ２．８以上Ｆ８以下であることが好ましく、第２撮影モードにおけるシャッタ速度は、１／６０秒以上（低速）とするのが好ましい。
【００４９】
撮影レンズ５の焦点距離は、ピントの実質的な合致範囲を考慮して、撮影レンズ５を広角化して、大絞りの下でも適当な被写界深度を確保するのが好ましく、大絞りの絞り値をＦ２．８以上Ｆ８以下としたときに、焦点距離は２８ｍｍ以下、好ましくは１７ｍｍ以上２８ｍｍ以下とするのがよい。
【００５０】
この例では、撮影レンズ５の焦点距離は、２６ｍｍとされており、第２撮影モードでの絞り値は前述のようにＦ４．０とされている。撮影レンズ５は、被写体距離が２ｍの被写体にピントが合致するようにされており、実質的に第１撮影モードでは１ｍ〜無限遠の被写体に、第２撮影モードで１ｍ〜３ｍの被写体にピントが合うようになっている。
【００５１】
日中屋外での撮影に対応する第１撮影モードの絞り（小絞り）の絞り値は、Ｆ１３以上とするのが好ましい。シャッタ速度を変化させずに、絞りの切替だけで日中屋外での撮影に対応してもよいが、この例に説明するようにシャッタ速度を絞りとともに切り換えるのが好ましく、この場合には第１撮影モードにおけるシャッタ速度１／８０秒以下（高速）とするのがよい。
【００５２】
次に、上記実施形態の作用について説明する。日中屋外等の明るい場所で撮影を行う場合には、第１撮影モードを選択する。第１撮影モードを選択するには、図１に示されるように、操作部材１５を第１操作位置にする。
【００５３】
操作部材１５が第１操作位置とされることにより、図７に示されるように、切替リング６８がバネ７０に付勢されて初期位置とされる。また、切替リング６８が初期位置となることにより、絞り切替板６３が小絞り位置にセットされるとともに、ストップレバー４９が高速シャッタ位置にセットされる。
【００５４】
この第１撮影モード下でレリーズボタン９を押圧すると、これに応答してシャッタ羽根３８が閉じ位置から開き位置に向けて回動し、再び閉じ位置に戻る開閉動作が行われ、露光開口３７の開閉が行われる。このときに、ストップレバー４９が高速シャッタ位置にセットされているので、シャッタ羽根３８は、その速度調節突起４３ｄがパッド５２ａに当接し、移動端位置に達する前に閉じ位置に復帰する。これにより、１／１００秒のシャッタ速度で露光が行われる。
【００５５】
上記のようにシャッタ羽根３８の開閉動作が行われている間に、撮影レンズ５に入射した被写体からの光は、小絞り開口６３ｂ，大絞り開口６２ａを通して写真フイルム２２ｂに露光を与えるが、この場合には絞り値Ｆ１８の小絞り開口６３ｂで光量が規制される。
【００５６】
結果として、フイルム感度ＩＳＯ３２００の写真フイルム２２ｂに対して、シャッタ速度１／１００秒，絞り値Ｆ１８で露光が行われ、この第１撮影モードでは、適正ＥＶ値がＥＶ１０であって、ＥＶ８．５〜ＥＶ１５．５の範囲で良好な撮影が行える。
【００５７】
一方、夜景等のように暗い被写体を撮影するような場合、あるいは室内を背景に人物等の主要被写体を撮影する場合には、図２に示されるように、操作部材１５を第１操作位置から第２操作位置に回動し、第２撮影モードを選択する。
【００５８】
操作部材１５が第２操作位置に回動されると、図８に示されるように、切替板７４の押圧レバー７４ａが切替リング６８の従動ピン６８ｄを下方から押圧する。このため、切替リング６８は、バネ７０の付勢に抗して初期位置から反時計方向に回動する。この切替リング６８の回動に連動して絞り切替板６３が大絞り位置に回動し、小絞り部６３ａが撮影レンズ５の光路上から退避し、大絞り開口６２ａによって光量の規制が行われるようになる。また、ストップレバー４９は、低速シャッタ位置にセットされる。
【００５９】
この第２撮影モードでレリーズボタン９を押圧して撮影を行うと、ストップレバー４９が低速シャッタ位置にあるため、シャッタ羽根３８は、パッド５２ａに当接することなく回動し、移動端位置に達した後に閉じ位置に復帰する。また、このようにシャッタ羽根３８の開閉動作が行われている間に、撮影レンズ５に入射した被写体からの光は、小絞り開口６３ｂを通らずに大絞り開口６２ａを通して写真フイルムに露光を与える。
【００６０】
結果として、フイルム感度ＩＳＯ３２００の写真フイルム２２ｂに対して、１／４５秒のシャッタ速度と絞り値Ｆ４．０とで露光が行われる。この第２撮影モードでの適正ＥＶ値はＥＶ４．５であって、ＥＶ３．０〜ＥＶ１０．０の範囲で良好な撮影が行える。また、ストロボ発光をさせていないので、室内の照明等のアベイラブル光を活かした撮影ができ、例えば背景と主要被写体との明るさや色合いに一体感がある写真画像を得ることができる。また、ストロボ光を使用しないことにより、赤目が発生しない、ストロボ光による濃い影が生じない等の効果もある。さらに、ストロボ装置を内蔵していないので、電池，や各種部品等の部品の点数の削減、軽量化を図ることができる。
【００６１】
上記実施形態では、第１撮影モードと第２撮影モードと切り換えるレンズ付きフイルムユニットについて撮影したが、第２撮影モードの機能だけのレンズ付きフイルムユニットとすることもできる。
【図面の簡単な説明】
【００６２】
【図１】本発明を実施したレンズ付きフイルムユニットの第１撮影モードの状態を示す外観斜視図である。
【図２】レンズ付きフイルムユニットの第２撮影モードの状態を示す外観斜視図である。
【図３】レンズ付きフイルムユニットの構成を示す分解斜視図である。
【図４】絞り及びシャッタ速度切替機構の構成を示す分解斜視図である。
【図５】ストッパーレバーの高速シャッタ位置でのシャッタレリーズを示す説明図である。
【図６】ストッパーレバーの低速シャッタ位置でのシャッタレリーズを示す説明図である。
【図７】絞り及びシャッタ速度切替機構の第１撮影モードでの状態を示す説明図である。
【図８】絞り及びシャッタ速度切替機構の第２撮影モードでの状態を示す説明図である。
【符号の説明】
【００６３】
２  レンズ付きフイルムユニット
３  ユニット本体
８  撮影モード選択部
１５  操作部材
２２ｂ  写真フイルム
２５  モード切替機構
３８  シャッタ羽根
４９  ストップレバー
６２  大絞り板
６３  絞り切替板
【図１】
2006038949.tif 000003
【図２】
2006038949.tif 000004
【図３】
2006038949.tif 000005
【図４】
2006038949.tif 000006
【図５】
2006038949.tif 000007
【図６】
2006038949.tif 000008
【図７】
2006038949.tif 000009
【図８】
2006038949.tif 000010